(57)【特許請求の範囲】
【請求項１】
演奏者により演奏される演奏パートと前記演奏パートに対応する伴奏パートのデータを記憶する記憶手段と、
前記記憶手段から伴奏パートのデータを順次読み出して自動演奏を行なう演奏手段と、
前記演奏手段の自動演奏の進行に応じて、演奏パートのデータに基づいて楽譜を表示する表示手段と、
前記演奏手段による自動演奏の演奏位置に対応する演奏パートが所定長さ以上の休符区間のときは、前記休符区間の少なくとも一部の表示を省略するように制御する制御手段とを備えたことを特徴とする楽譜表示装置。
【請求項２】
前記制御手段が、表示された楽譜上に現在の演奏位置を指標するマークを表示させるとともに現在の演奏位置が表示された楽譜から外れた位置にあるときは、異なる態様のマークを表示させるものであることを特徴とする請求項１記載の楽譜表示装置。
【発明の詳細な説明】
【０００１】
【発明の属する技術分野】
本発明は、楽譜を表示する楽譜表示装置に関する。
【０００２】
【従来の技術】
従来より、演奏者により演奏される楽譜を複数小節分表示しておき、演奏の進行に伴って、それら複数小節分の楽譜を次々に変更していく楽譜表示装置が知られている。このような楽譜表示装置では、演奏者による演奏が開始される以前に自動伴奏が複数小節行なわれるイントロ（前奏）区間等において、休符のみ表示するということが行なわれている。
【０００３】
【発明が解決しようとする課題】
しかし、演奏者による演奏が開始される以前に休符のみ表示されるのでは、演奏者は最初に演奏し始めるタイミングを知ることが困難であり、演奏の操作性に欠けるという問題がある。
【０００４】
本発明は、上記事情に鑑み、演奏の操作性が高められた楽譜表示装置を提供することを目的とする。
【０００５】
【課題を解決するための手段】
上記目的を達成する本発明の楽譜表示装置は、
（１）演奏者により演奏される演奏パートと上記演奏パートに対応する伴奏パートのデータを記憶する記憶手段
（２）上記記憶手段から伴奏パートのデータを順次読み出して自動演奏を行なう演奏手段
（３）上記演奏手段の自動演奏の進行に応じて、演奏パートのデータに基づいて楽譜を表示する表示手段
（４）上記演奏手段による自動演奏の演奏位置に対応する演奏パートが所定長さ以上の休符区間のときは、上記休符区間の少なくとも一部の表示を省略するように制御する制御手段
を備えたことを特徴とする。
【０００６】
本発明の楽譜表示装置は、例えば、演奏者による演奏が開始される以前に自動伴奏が複数小節行なわれるイントロ区間等において、演奏者により演奏される楽譜を、その複数小節のうちの少なくとも一部の小節の表示をスキップして表示手段に表示させるものであるため、従来の、休符のみ表示させる技術と比較し、演奏者は最初に演奏し始めるタイミングを容易に知ることができる。従って、演奏の操作性が高まる。
【０００７】
ここで、上記制御手段が、表示された楽譜上に現在の演奏位置を指標するマークを表示させるとともに現在の演奏位置が表示された楽譜から外れた位置にあるときは、異なる態様のマークを表示させるものであることが好ましい。
【０００８】
このようなマークを楽譜上に表示させると、現在の演奏位置と、現在の演奏位置から外れた演奏位置とを区別することができる。
【０００９】
【発明の実施の形態】
以下、本発明の実施形態について説明する。
【００１０】
図１は、本発明の一実施形態の楽譜表示装置が組み込まれた電子楽器のブロック図である。
【００１１】
図１に示す電子楽器１０には、ＣＰＵ１１と、ＲＡＭ１２と、ＲＯＭ１３と、テンポクロック部１４と、操作子群１５と、フロッピィディスクドライブ１６と、表示部１７と、音源１８とが備えられている。これらＣＰＵ１１，ＲＡＭ１２，ＲＯＭ１３，テンポクロック部１４，操作子群１５，フロッピィディスクドライブ１６，表示部１７，音源１８は、データバス１９で接続されている。また、音源１８にはスピーカ１８０が接続されている。
【００１２】
ＣＰＵ１１は、ＲＯＭ１３に格納されたプログラムをデータバス１９を経由して読み出し、各種の処理を行なう。
【００１３】
ＲＡＭ１２には、フロッピィディスクドライブ１６から転送される曲データや、各種フラグ等が格納される。
【００１４】
ＲＯＭ１３には、この図１に示す電子楽器１０全体の制御を行なうためのプログラム等が格納されている。
【００１５】
テンポクロック部１４は、ＣＰＵ１１から指示されたテンポ、即ち４分音符を９６等分したタイミング（ティック）でテンポクロック割込みを発生する。このテンポクロック割込みは自動演奏等を行なうための基本クロックになる。
【００１６】
操作子群１５には、この図１に示す電子楽器１０の各種状態を設定するための複数のスイッチが備えられている。
【００１７】
フロッピィディスクドライブ１６は、この電子楽器１０の外部から挿入されるフロッピィディスク１６０を制御する。このフロッピィディスク１６０には、複数の曲データそれぞれが複数のトラックに分割されて格納されている。例えば、第２トラックには伴奏用のデータが格納され、第３トラックには左手用の演奏データが格納されている。また、第４トラックには右手用の演奏データが格納され、第１０トラックにはリズム用のデータが格納されている。尚、第１トラックには演奏者により演奏される演奏データが格納される。
【００１８】
表示部１７は、本発明にいう表示手段に相当し、演奏者により演奏される楽譜を複数小節分表示し自動伴奏に合わせその表示を変更する。
【００１９】
音源１８は、ＣＰＵ１１から指定された音高の楽音をスピーカ１８０を介して空中に放音する。
【００２０】
このように構成された電子楽器１０には、表示部１７と、ＣＰＵ１１およびＲＯＭ１３による制御部等からなる楽譜表示装置が組み込まれており、ＣＰＵ１１およびＲＯＭ１３による制御部は、演奏者による演奏が開始される以前に自動伴奏が複数小節行なわれる場合に、演奏者により演奏される楽譜を、その複数小節のうちの少なくとも一部の小節の表示をスキップして表示部１７に表示させる。
【００２１】
この電子楽器１０では、先ず、演奏者は、フロッピィディスクドライブ１６にフロッピィディスク１６０を挿入し、そのフロッピィディスク１６０に格納されている複数の曲データの中から演奏したい曲データを、操作子群１５を操作して指定する。指定された曲データはＲＡＭ１２に転送される。
【００２２】
次に、演奏者は、指定された曲データの中から、両手、左手、右手のいずれで演奏したいのかを操作子群１５を操作して選択する。さらに、演奏開始位置、最初の小節から演奏するのかあるいは途中の小節から演奏するのかを選択する。尚、本実施形態では、最初の１小節目から３小節目までは自動伴奏のみ行なわれるものとする。ここで、演奏者により、操作子群１５のスタートスイッチ（図示せず）が押される。すると、図２に示すルーチンが起動する。
【００２３】
図２は、スタートスイッチが押されてティックにより起動されるタイマルーチンを示すフローチャートである。
【００２４】
先ず、ステップＳ１において、演奏者により演奏される演奏パートの小節位置がサーチされる。これにより、選択された演奏パートの何小節目から演奏データが開始するのかがサーチされる。換言すれば、選択された演奏パートの、最初から何小節目まで休符があるのかがサーチされる。
【００２５】
次に、ステップＳ２において、サーチされた小節位置（演奏データがある位置）と現在の演奏位置とが比較される。比較された結果、現在の演奏位置がサーチされた小節位置にまだ到達していない場合はステップＳ３に進む。一方、現在の演奏位置がサーチされた小節位置に到達した場合はステップＳ４に進む。また、このステップＳ２では、現在の演奏位置がエンディング部（最後の演奏データを含む４小節）にある場合もステップＳ３に進む。最初の時点では、１小節目から３小節目までは自動伴奏のみ行なわれ、演奏データは４小節目以降にあるため、ここでは先ずステップＳ３に進むこととなる。
【００２６】
ステップＳ３では、現在の演奏位置がエンディング部にあるか否かが判定される。最初の時点では、現在の演奏位置は１小節目にあるためステップＳ５に進む。ステップＳ５では、第１の表示画面を表示部１７に表示する。
【００２７】
図３は、演奏位置が最初の１小節目もしくは２小節目にある場合に表示される第１の表示画面を示す図である。
【００２８】
図３に示す画面には、１小節目および２小節目の楽譜の表示がスキップされて３小節目から６小節目までの楽譜が表示されている。また、３小節目の楽譜上には、後述するボールマーク１７ａ（本発明にいうマークに相当）が表示されている。本実施形態では、楽譜の表示にあたり、自動伴奏のみ行なわれる１小節目から３小節目までの全てにわたり休符を表示するよりも、演奏者が弾き始める４小節目から６小節目までの部分をあらかじめ表示しておいて、演奏者がその部分にくるまで待機するような表示態様が採用される。このように、本実施形態では、演奏者による演奏が開始される以前に自動伴奏が３小節分行なわれるイントロ区間において、演奏者により演奏される楽譜を、その３小節のうちの２小節分の表示をスキップして表示部１７に表示させるものであるため、従来の、休符のみ表示させる技術と比較し、演奏者は最初に演奏し始めるタイミングを容易に知ることができ、演奏の操作性が高まる。
【００２９】
再び図２に戻って説明を続ける。ステップＳ５からステップＳ７に進む。ステップＳ７では、現在の演奏位置（ここでは１小節目の先頭）は、表示された楽譜から外れた位置にあるため、ボールマーク１７ａが図３の上下にバウンドするように表示される。このようにすることにより、演奏者は現在の演奏位置が１小節目もしくは２小節目にあることを認識することができる。次いで、ステップＳ８に進み、自動伴奏の発音を行ない、さらにステップＳ９に進む。ステップＳ９では、操作子群１５のストップスイッチが押されたか否かもしくは演奏が全て終了したか否かが判定される。操作子群１５のストップスイッチが押された場合もしくは演奏が全て終了したと判定された場合はステップＳ１０に進み、自動演奏を停止してこのルーチンを終了する。一方、操作子群１５のストップスイッチが押されていないと判定され且つ演奏が未だ終了していないと判定された場合は、このルーチンを抜け、図２に示すティックにより起動されるタイマルーチンの、前述した各ステップを繰り返し実行する。このようにして、２小節目までの自動伴奏が終了するまで図３に示す画面が表示されてボールマーク１７ａが図３の上下にバウンドし続ける。
【００３０】
２小節目の自動伴奏が終了して、現在の演奏位置が３小節目に移動する。すると、ステップＳ２において、現在の演奏位置は、サーチされた小節位置（演奏データがある位置）に対して２小節以内、即ち３小節目にあると判定されてステップＳ４に進む。ステップＳ４では、第２の表示画面を表示部１７に表示してステップＳ７に進む。
【００３１】
図４は、演奏位置が３小節目にある場合に表示される第２の表示画面を示す図である。
【００３２】
図４に示す画面は、図３に示す画面と比較し、ステップＳ７において、ボールマーク１７ａが楽譜の進行に合わせて、図４の左から右の方向にバウンドしながら移動するように表示される。演奏者は、このボールマーク１７ａを見ることにより演奏を開始するタイミングを一層容易に知ることができる。また、４小節目以降の演奏においても、このボールマーク１７ａの進行に合わせて演奏を行なうことにより演奏を容易に行なうことができる。以下、表示部１７に４小節分が楽譜がページをめくるようにして順次表示され、これに伴いボールマーク１７ａも左から右にバウンド表示される。
【００３３】
やがて、現在の演奏位置がエンディング部に移動する。すると、ステップＳ２において、現在の演奏位置がエンディング部にあると判定されてステップＳ３に進む。ステップＳ３では、現在の演奏位置がエンディング部にあるため、ステップＳ６へと進み、ステップＳ６において第３の表示画面を表示部１７に表示する。
【００３４】
図５は、演奏位置がエンディング部内にある場合に表示される第３の表示画面を示す図である。
【００３５】
図５に示す画面には、最後の４小節である５１小節目から５４小節目までが表示されている。５１小節目から５３小節目の前半までにわたり、前述したようにしてボールマーク１７ａが楽譜の進行に合わせて図５の左から右の方向にバウンドしながら移動するように表示され、これに合わせて演奏者による演奏が行なわれる。５３小節目の前半で演奏が終了し、５３小節目の、音符が無くなる後半の部分において、ボールマーク１７ａが図５の上下にバウンドするように表示される。５４小節目以降は自動伴奏のみ行なわれるが、ボールマーク１７ａは、自動伴奏が終了するまでその部分で図５の上下にバウンドするように表示され続ける。
【００３６】
尚、本実施形態では、現在の演奏位置を指標するにあたり、楽譜の進行に合わせてボールマーク１７ａを左から右の方向にバウンドしながら移動するように表示させるとともに、現在の演奏位置が表示された楽譜から外れた位置にあるときはこのボールマーク１７ａを上下にバウンドするように表示させる例で説明したが、これに限られるものではなく、本発明は、表示された楽譜上に現在の演奏位置を指標するマークを表示させるとともに現在の演奏位置が表示された楽譜から外れた位置にあるときは、異なる態様のマークを表示させるものであればよい。
【００３７】
また、本実施形態では、演奏者により演奏される楽譜を、小節単位でスキップして表示手段に表示させる例で説明したが、これに限られるものではなく、本発明は、拍単位でスキップして表示手段に表示させてもよい。
【００３８】
【発明の効果】
以上説明したように、本発明によれば、演奏の操作性が高められた楽譜表示装置を提供することができる。
【図面の簡単な説明】
【図１】本発明の一実施形態の楽譜表示装置が組み込まれた電子楽器のブロック図である。
【図２】スタートスイッチが押されてティックにより起動されるタイマルーチンを示すフローチャートである。
【図３】演奏位置が最初の１小節目もしくは２小節目にある場合に表示される第１の表示画面を示す図である。
【図４】演奏位置が３小節目にある場合に表示される第２の表示画面を示す図である。
【図５】演奏位置がエンディング部にある場合に表示される第３の表示画面を示す図である。
【符号の説明】
１０  電子楽器
１１  ＣＰＵ
１２  ＲＡＭ
１３  ＲＯＭ
１４  テンポクロック部
１５  操作子
１６  フロッピィディスクドライブ
１７  表示部
１７ａ  ボールマーク
１８  音源
１９  データバス
１６０  フロッピィディスク
１８０  スピーカ
【図１】
0004373573.tif 000002
【図２】
0004373573.tif 000003
【図３】
0004373573.tif 000004
【図４】
0004373573.tif 000005
【図５】
0004373573.tif 000006